(57)【要約】【課題】簡易な構成の防水コネクタを提供する。【解決手段】防水コネクタ１００は、第１フレーム１Ｆに固定したリセプタクル１０と、第２フレーム２Ｆに固定したプラグ２０が相互に着脱できる。リセプタクル１０は、第１ハウジング１と複数の第１コンタクト３を備える。プラグ２０は、第２ハウジング２と複数の第２コンタクト４を備える。第１ハウジング１は、一端部側に突出したヘッダー１ｈとヘッダー１ｈの外周と密着自在に取り付けた四角枠状の防水リング５を有する。第２ハウジング２は、ヘッダー１ｈを導入自在な第２コンタクト収容室６１を内部に有し、複数の第２コンタクト４の周囲を囲うシェル６を有する。防水リング５は、前部の外周に波状に形成し、シェル６の内壁に密着自在な第１襞５１と、後部の外周に波状に形成し、第１フレーム１Ｆの内壁に密着自在な第２襞５２を有する。【選択図】図３
2017208193.tif 000002
【特許請求の範囲】
【請求項１】
第１フレームの端部に固定した第１コネクタと第２フレームの端部に固定した第２コネクタが相互に着脱な防水コネクタであって、
前記第１コネクタは、
一方の面を断続して開口した第１コンタクト収容室を内部に有する直方体状の第１ハウジングと、
前記第１コンタクト収容室の内部に配列した複数の第１コンタクトと、を備え、
前記第２コネクタは、
帯板状の第２ハウジングと、
基端部を前記第２ハウジングに固定し、先端部側を前記第２ハウジングの一方の面から突出し、前記第１コンタクトと接続自在な複数の第２コンタクトと、を備え、
前記第１ハウジングは、
一端部側に突出したヘッダーと、
前記ヘッダーの外周と密着自在に取り付けた四角枠状の防水リングと、を有し、
前記第２ハウジングは、
前記ヘッダーを導入自在な第２コンタクト収容室を内部に有し、複数の第２コンタクトの周囲を囲う四角筒状のシェルを有し、
前記防水リングは、
前部の外周に波状に形成し、前記シェルの内壁に密着自在な一つ以上の第１襞と、
後部の外周に波状に形成し、前記第１フレームの内壁に密着自在な一つ以上の第２襞と、を有している、防水コネクタ。
【請求項２】
前記防水リングは、前記第１襞のつぶし代を収容自在な段差を前記第１襞と前記第２襞の間に有している、請求項１記載の防水コネクタ。
【請求項３】
前記第１コンタクトは、二股に分岐した一対の分岐アームを先端部側に有し、
前記第２コンタクトは、一対の前記分岐アームの間に進入自在な刃状のブレードコンタクトからなる、請求項１又は２記載の防水コネクタ。
【請求項４】
前記第１フレームは、ウェアラブルデバイスを保持するケースの端部に形成したラグを含み、
前記第２フレームは、前記ラグと回動自在に連結したリストバンドの端部を含んでいる、請求項１から３のいずれかに記載の防水コネクタ。
【発明の詳細な説明】
【技術分野】
【０００１】
本発明は、防水コネクタに関する。特に、腕時計型のウェアラブルデバイスとリストバンドに設けた周辺デバイスを電気的に接続するために好適な電気コネクタであって、電気コネクタの内部に水が進入することを防止する防水コネクタの構造に関する。
【背景技術】
【０００２】
例えば、ＤＣ電源用のプラグコネクタを電子機器の筐体のパネルに配置されたジャックに接続する場合には、プラグコネクタの先端部に密着すると共に、先端方向に拡がる円錐体状の可撓性を有するスリーブをプラグコネクタに取り付け、このスリーブをジャックの周囲のパネルに密着させることで、プラグコネクタ及びジャックを防水していた。
【０００３】
ところで、上述した防水コネクタは、プラグコネクタをジャックに接続した状態では防水できるが、プラグコネクタとジャックが非接続の状態では、ジャックの内部に水が進入することを阻止することが困難であった。そして、ジャックの内部に水が進入した状態で、両コネクタを接続すると、ジャックの中心部に配置された円柱状の中心端子と中心端子の周囲を囲うグラウンド端子が短絡するという、不具合があった。
【０００４】
上述して不具合を解消するため、ジャックの内部に水が進入しても、中心端子とグラウンド端子が短絡することを防止する防水コネクタが開示されている（例えば、特許文献１参照）。
【先行技術文献】
【特許文献】
【０００５】
【特許文献１】特開２０１０−３４４２号公報
【発明の概要】
【発明が解決しようとする課題】
【０００６】
図９は、従来技術による防水コネクタの構成を示す斜視図である。図１０は、従来技術による防水コネクタの構成を示す斜視図であり、ジャックハウジングとカバーハウジングを対向配置した状態図である。
【０００７】
図１１は、従来技術による防水コネクタの構成を示す斜視分解組立図である。図１２は、従来技術による防水コネクタの構成を示す縦断面図である。図１３は、従来技術による防水コネクタの構成を示す横断面図である。
【０００８】
図１４は、従来技術による防水コネクタの構成を示す縦断面図であり、相手側コネクタを接続した状態図である。なお、本願の図９から図１４は、特許文献１の図１から図６に相当している。
【０００９】
図９から図１４を参照すると、従来技術による防水コネクタ（以下、ジャックという）９は、直方体状のカバーハウジング９１と直方体状のジャックハウジング９２を備えている。又、ジャック９は、円柱状の中心端子９３と板ばね部材からなるグラウンド端子９４を備えている。
【００１０】
図１２又は図１３を参照すると、カバーハウジング９１は、一方の面に円形に開口したコンタクト収容室９１０を有している。又、カバーハウジング９１は、円筒状のボス９１ｂを一方の面か突出している。ボス９１ｂは、フランジ９１ｆを先端部に形成している。
【００１１】
図９から図１１を参照すると、カバーハウジング９１は、一対一組の帯板状の突片９１ｔ・９１ｔを他方の面から突出している。一方、ジャックハウジング９２は、一対の突片９１ｔ・９１ｔが嵌合する方形の溝部９２ｄ・９２ｄを上面及び下面に形成している（図１０又は図１１参照）。
【００１２】
図１０又は図１１を参照すると、ジャックハウジング９２は、槍状のランス９２ｒを溝部９２ｄの底面から突出している。図１０又は図１１を参照して、カバーハウジング９１をジャックハウジング９２に向かって、相対的に進出すると、突片９１ｔに開口した係止穴９１ｈにランス９２ｒが係止して、カバーハウジング９１とジャックハウジング９２を分離困難に一体化できる（図９参照）。
【００１３】
図１０を参照すると、ジャックハウジング９２は、中心端子９３を中心部に圧入している。ジャックハウジング９２は、中心端子９３を一方の面から突出している。カバーハウジング９１とジャックハウジング９２を嵌合した状態では、中心端子９３をコンタクト収容室９１０の中心部に配置できる（図１２又は図１３参照）。
【００１４】
図１１から図１４を参照すると、中心端子９３は、ハトメ端子９３ｔを後端部に取り付けている。ハトメ端子９３ｔには、図示しない電線の端末を結線できる。
【００１５】
図１０又は図１１及び図１３を参照すると、ジャックハウジング９２は、グラウンド端子９４を一体にモールドしている。ジャックハウジング９２は、一対のベローズ形の接続端子９４ｂ・９４ｂを一方の面から突出している。一対の接続端子９４ｂ・９４ｂは、所定の間隔を設けて、コンタクト収容室９１０の内部に対向配置されている。
【００１６】
図１４を参照して、ジャック９と相手側コネクタ（以下、プラグという）８を接続した状態では、一対の接続端子９４ｂ・９４ｂは、後述するプラグ８に形成した円筒状の外筒端子８３に接触できる。
【００１７】
図１４を参照すると、グラウンド端子９４の一部は、ジャックハウジング９２の他方の面から突出している。ジャックハウジング９２の一部には、図示しない電線の端末を結線できる。
【００１８】
図９から図１４を参照すると、ジャック９は、四角枠状の第１シール部材９５、円盤状の第２シール部材９６、及び、円環状の第３シール部材９７を更に備えている。
【００１９】
図１１を参照すると、第１シール部材９５は、ジャックハウジング９２の一方の面に形成した四角枠状の溝９２１に収容できる。そして、カバーハウジング９１の他方の面とジャックハウジング９２の一方の面を密着した状態では（図１２又は図１３参照）、カバーハウジング９１とジャックハウジング９２の隙間から、ジャック９の内部に水が進入することを防止できる。
【００２０】
図１１を参照すると、第２シール部材９６は、円形の挿通穴９６ｈを中心部に開口している。又、第２シール部材９６は、外周より直径が小さい段差部９６ｄを一方の面から突出している。図１１を参照すると、第２シール部材９６は、段差部９６ｄを形成した反対面をジャックハウジング９２の一方の面に接着している。
【００２１】
図１４を参照して、ジャック９とプラグ８を接続した状態では、後述するプラグ８に形成した絶縁筒８２の先端面を第２シール部材９６の段差部９６ｄに当接できる。なお、図１４に示した状態では、絶縁筒８２の先端面に押圧されて、段差部９６ｄは圧縮されている。
【００２２】
図９から図１１を参照すると、第３シール部材９７は、波状の襞９７ｐを外周に形成している。第３シール部材９７は、ボス９１ｂに取り付けている。図１２又は図１３を参照して、ボス９１ｂをパネル９ｐに開口した取り付け穴に挿入し、ジャック９をパネル９ｐに固定した状態では、第３シール部材９７は、ボス９１ｂとパネル９ｐの取り付け穴を封鎖している。これにより、パネル９ｐの取り付け穴を介して、水が筐体の内部に進入することを防止できる。
【００２３】
図１４を参照すると、プラグ８は、ジャック９と電気的に接続するために、ケーブルの先端に取り付けられる接続器であって、導電性金属で形成された内筒端子８１及び外筒端子８３を有している。内筒端子８１は、先端面が開口された中空部を有し、中心端子９３を挿入できる。そして、内筒端子８１と中心端子９３を電気的に接続できる。
【００２４】
図１４を参照すると、絶縁筒８２は、絶縁性の合成樹脂で形成している。内筒端子８１の外周は、絶縁筒８２で被覆されている。絶縁筒８２は、外筒端子８３で囲われている。外筒端子８３には、グラウンド端子９４の接続端子９４ｂ・９４ｂを接触できる。絶縁筒８２の先端面は、内筒端子８１の先端面及び外筒端子８３の先端面より突出している。
【００２５】
図１４を参照すると、プラグ８とジャック９を接続した状態では、絶縁筒８２の先端面が第２シール部材９６を押圧している。これにより、従来技術による防水コネクタは、ジャック９の内部に水が進入しても、中心端子９３とグラウンド端子９４の導通を防止できる、としている。
【００２６】
近年では、腕又は頭部などの身体の一部に装着して、移動自在な端末、いわゆる、ウェアラブルデバイスが実用可能に開発されている。例えば、腕時計型のウェアラブルデバイスは、リストバンドに設けた周辺デバイスを電気的に接続するために、電気コネクタを用いている。そして、腕時計型のウェアラブルデバイスなどは、屋外で使用することが想定されるので、この電気コネクタに防水性能が求められている。
【００２７】
しかし、特許文献１に開示された防水コネクタは、複数種類のシール部材を使用しており、これらのシール部材の組立工数（組立時間）も勘案すると、防水コネクタの製造原価を上昇させる要因となっている。ウェアラブルデバイスなどの接続に好適であって、製造原価の低減に貢献できる簡易な構成の防水コネクタが求められている。そして、以上のことが本発明の課題といってよい。
【００２８】
本発明は、このような課題に鑑みてなされたものであり、ウェアラブルデバイスなどの接続に好適であって、製造原価の低減に貢献できる簡易な構成の防水コネクタを提供することを目的とする。
【課題を解決するための手段】
【００２９】
本発明者らは、上記目的を満たすため、第１コネクタと第２コネクタが相互に着脱な防水コネクタであって、第１ハウジングは、ヘッダーとヘッダーの外周と密着自在に取り付けた四角枠状の防水リングを有し、第２ハウジングは、ヘッダーを導入自在な四角筒状のシェルを有し、シェルの内壁に密着自在な第１襞と第１フレームの内壁に密着自在な第２襞で防水リングを構成することで、これらの課題を解決可能なことを見出し、これに基づいて、以下のような新たな防水コネクタを発明するに至った。
【００３０】
（１）  第１フレームの端部に固定した第１コネクタと第２フレームの端部に固定した第２コネクタが相互に着脱な防水コネクタであって、前記第１コネクタは、一方の面を断続して開口した第１コンタクト収容室を内部に有する直方体状の第１ハウジングと、前記第１コンタクト収容室の内部に配列した複数の第１コンタクトと、を備え、前記第２コネクタは、帯板状の第２ハウジングと、基端部を前記第２ハウジングに固定し、先端部側を前記第２ハウジングの一方の面から突出し、前記第１コンタクトと接続自在な複数の第２コンタクトと、を備え、前記第１ハウジングは、一端部側に突出したヘッダーと、前記ヘッダーの外周と密着自在に取り付けた四角枠状の防水リングと、を有し、前記第２ハウジングは、前記ヘッダーを導入自在な第２コンタクト収容室を内部に有し、複数の第２コンタクトの周囲を囲う四角筒状のシェルを有し、前記防水リングは、前部の外周に波状に形成し、前記シェルの内壁に密着自在な一つ以上の第１襞と、後部の外周に波状に形成し、前記第１フレームの内壁に密着自在な一つ以上の第２襞と、を有している、防水コネクタ。
【００３１】
（２）  前記防水リングは、前記第１襞のつぶし代を収容自在な段差を前記第１襞と前記第２襞の間に有している、（１）記載の防水コネクタ。
【００３２】
（３）  前記第１コンタクトは、二股に分岐した一対の分岐アームを先端部側に有し、前記第２コンタクトは、一対の前記分岐アームの間に進入自在な刃状のブレードコンタクトからなる、（１）又は（２）記載の防水コネクタ。
【００３３】
（４）  前記第１フレームは、ウェアラブルデバイスを保持するケースの端部に形成したラグを含み、前記第２フレームは、前記ラグと回動自在に連結したリストバンドの端部を含んでいる、（１）から（３）のいずれかに記載の防水コネクタ。
【発明の効果】
【００３４】
本発明による防水コネクタは、第１コネクタと第２コネクタが相互に着脱な防水コネクタであって、第１ハウジングは、ヘッダーとヘッダーの外周と密着自在に取り付けた四角枠状の防水リングを有し、第２ハウジングは、ヘッダーを導入自在な四角筒状のシェルを有し、防水リングは、シェルの内壁に密着自在な第１襞と、第１フレームの内壁に密着自在な第２襞を有しているので、防水コネクタの構成を簡易にできる。
【図面の簡単な説明】
【００３５】
【図１】本発明の一実施形態による防水コネクタの構成を示す図であり、図１（Ａ）は、第１コネクタと第２コネクタを対向配置した状態図、図１（Ｂ）は、第１コネクタと第２コネクタが嵌合した状態図である。
【図２】前記実施形態による防水コネクタの構成を示す図であり、図２（Ａ）は、第１コネクタと第２コネクタを対向配置した状態図、図２（Ｂ）は、第１コネクタと第２コネクタが嵌合した状態図である。
【図３】前記実施形態による防水コネクタの構成を示す斜視断面図であり、第１コネクタと第２コネクタが嵌合した状態図である。
【図４】前記実施形態による防水コネクタの構成を示す斜視分解組立図である。
【図５】前記実施形態による第１コネクタの構成を示す図であり、図５（Ａ）は、第１コネクタの正面図、図５（Ｂ）は、第１コネクタの平面図、図５（Ｃ）は、第１コネクタの右側面図、図５（Ｄ）は、第１コネクタの下面図、図５（Ｅ）は、第１コネクタの背面図である。
【図６】前記実施形態による第２コネクタの構成を示す図であり、図６（Ａ）は、第２コネクタの正面図、図６（Ｂ）は、第２コネクタの平面図、図６（Ｃ）は、第２コネクタの右側面図、図６（Ｄ）は、第２コネクタの下面図、図６（Ｅ）は、第２コネクタの背面図である。
【図７】前記実施形態による防水コネクタの構成を示す縦断面図であり、第１コネクタと第２コネクタを対向配置した状態図である。
【図８】前記実施形態による防水コネクタの構成を示す縦断面図であり、第１コネクタと第２コネクタが嵌合した状態図である。
【図９】従来技術による防水コネクタの構成を示す斜視図である。
【図１０】従来技術による防水コネクタの構成を示す斜視図であり、ジャックハウジングとカバーハウジングを対向配置した状態図である。
【図１１】従来技術による防水コネクタの構成を示す斜視分解組立図である。
【図１２】従来技術による防水コネクタの構成を示す縦断面図である。
【図１３】従来技術による防水コネクタの構成を示す横断面図である。
【図１４】従来技術による防水コネクタの構成を示す縦断面図であり、相手側コネクタを接続した状態図である。
【発明を実施するための形態】
【００３６】
以下、図面を参照して本発明を実施するための形態を説明する。
［防水コネクタの構成］
最初に、本発明の一実施形態による防水コネクタの構成を説明する。
【００３７】
図１は、本発明の一実施形態による防水コネクタの構成を示す図であり、図１（Ａ）は、第１コネクタと第２コネクタを対向配置した状態図、図１（Ｂ）は、第１コネクタと第２コネクタが嵌合した状態図である。
【００３８】
図２は、前記実施形態による防水コネクタの構成を示す図であり、図２（Ａ）は、第１コネクタと第２コネクタを対向配置した状態図、図２（Ｂ）は、第１コネクタと第２コネクタが嵌合した状態図である。
【００３９】
図３は、前記実施形態による防水コネクタの構成を示す斜視断面図であり、第１コネクタと第２コネクタが嵌合した状態図である。図４は、前記実施形態による防水コネクタの構成を示す斜視分解組立図である。
【００４０】
図５は、前記実施形態による第１コネクタの構成を示す図であり、図５（Ａ）は、第１コネクタの正面図、図５（Ｂ）は、第１コネクタの平面図、図５（Ｃ）は、第１コネクタの右側面図、図５（Ｄ）は、第１コネクタの下面図、図５（Ｅ）は、第１コネクタの背面図である。
【００４１】
図６は、前記実施形態による第２コネクタの構成を示す図であり、図６（Ａ）は、第２コネクタの正面図、図６（Ｂ）は、第２コネクタの平面図、図６（Ｃ）は、第２コネクタの右側面図、図６（Ｄ）は、第２コネクタの下面図、図６（Ｅ）は、第２コネクタの背面図である。
【００４２】
図７は、前記実施形態による防水コネクタの構成を示す縦断面図であり、第１コネクタと第２コネクタを対向配置した状態図である。図８は、前記実施形態による防水コネクタの構成を示す縦断面図であり、第１コネクタと第２コネクタが嵌合した状態図である。
【００４３】
（全体構成）
図１から図８を参照すると、本発明の一実施形態による防水コネクタ１００は、第１コネクタ（以下、リセプタクルという）１０と第２コネクタ（以下、プラグという）２０が相互に着脱できる。
【００４４】
図３又は図８を参照すると、リセプタクル１０は、第１フレーム１Ｆの端部に固定している。第１フレーム１Ｆは、例えば、腕時計型のウェアラブルデバイス（図示せず）を保持している。第１フレーム１Ｆは、図示しないウェアラブルデバイスを保持するケースの端部に形成したラグを含むことができる。そして、リセプタクル１０は、ウェアラブルデバイス（図示せず）と電気的に接続している。
【００４５】
一方、図３又は図８を参照すると、プラグ２０は、第２フレーム２Ｆの端部に固定している。第２フレーム２Ｆは、図示しないウェアラブルデバイスの周辺デバイスを保持している。第２フレーム２Ｆは、例えば、第１フレーム１Ｆと回動自在に連結するリストバンドで構成できる。第２フレーム２Ｆは、前記ラグと回動自在に連結したリストバンドの端部を含むことができる。
【００４６】
図１から図５を参照すると、リセプタクル１０は、直方体状の第１ハウジング１と複数の第１コンタクト３を備えている。第１ハウジング１は、一方の面を断続して開口している。又、第１ハウジング１は、第１コンタクト収容室１１を内部に有している（図３又は図７（Ａ）参照）。第１コンタクト３は、第１コンタクト収容室１１の内部に配列している（図３又は図７（Ａ）参照）。
【００４７】
図１から図４及び図６又は図７（Ｂ）を参照すると、プラグ２０は、帯板状の第２ハウジング２と複数の第２コンタクト４を備えている。第２コンタクト４は、その基端部を第２ハウジング２に固定している。又、第２コンタクト４は、その先端部側を第２ハウジング２の一方の面から突出している。そして、第２コンタクト４は、第１コンタクト３と接続できる。
【００４８】
図２又は図４及び図５又は図７（Ａ）を参照すると、第１ハウジング１は、ヘッダー１ｈと四角枠状の防水リング５を有している。ヘッダー１ｈは、第１ハウジング１の一端部側に突出している。防水リング５は、ヘッダー１ｈの外周と密着自在に取り付けている。
【００４９】
図１から図４又は図６及び図７（Ｂ）を参照すると、第２ハウジング２は、四角筒状のシェル６を有している。シェル６は、ヘッダー１ｈを導入自在な第２コンタクト収容室６１を内部に有している。又、シェル６は、複数の第２コンタクト４の周囲を囲っている。
【００５０】
図３又は図７（Ａ）及び図８を参照すると、防水リング５は、二条の第１襞５１と二条の第２襞５２を有している。第１襞５１は、防水リング５の前部の外周に波状に形成している。そして、第１襞５１は、シェル６の内壁に密着できる。第２襞５２は、防水リング５の後部の外周に波状に形成している。そして、第２襞５２は、第１フレーム１Ｆの内壁に密着できる。なお、図３又は図８では、第１襞５１及び第２襞５２を圧縮される前の状態で示している。
【００５１】
図３又は図８を参照すると、実施形態による防水コネクタ１００は、リセプタクル１０の外周に密着した防水リング５の第１襞５１がシェル６の内壁に密着しているので、第１フレーム１Ｆと第２フレーム２Ｆの隙間Ｇから進入した水がシェル６の内部に進入することを防止できる。
【００５２】
又、図３又は図８を参照すると、実施形態による防水コネクタ１００は、防水リング５の第２襞５２が第１フレーム１Ｆの内壁に密着しているので、第１フレーム１Ｆと第２フレーム２Ｆの隙間Ｇから進入した水が第１フレーム１Ｆの内部に進入することを防止できる。
【００５３】
（第１ハウジングの構成）
次に、実施形態による第１ハウジング１の構成を説明する。図１から図７を参照すると、第１ハウジング１は、絶縁性を有している。非導電性の材料からなる合成樹脂を成形して、所望の形状の絶縁性の第１ハウジング１を得ることができる。
【００５４】
図１から図５を参照すると、第１ハウジング１は、帯板状の取り付け金具１ｃを有している。取り付け金具１ｃは、略直角に折り曲げた一対の圧入片１１ｃ・１１ｃを両端部に有している（図４参照）。一方、第１ハウジング１は、一対の圧入穴１１ｈ・１１ｈを上壁に穿設している（図４参照）。
【００５５】
図４を参照して、圧入片１１ｃを圧入穴１１ｈに圧入することで、取り付け金具１ｃを第１ハウジング１に固定できる。そして、取り付け金具１ｃを用いて、リセプタクル１０を第１フレーム１Ｆの端部に組み込むことができる（図３又は図８参照）。
【００５６】
（第１コンタクトの構成）
次に、実施形態による第１コンタクト３の構成を説明する。図３又は図４及び図７を参照して、第１コンタクト３は、導電性を有している。導電性の金属板を打ち抜き加工して、所望の形状の導電性の第１コンタクト３を得ることができる。第１コンタクト３は、加工の容易性や、ばね特性、導電性などを考慮すれば、例えば、銅合金が好ましく用いられるが、銅合金に限定されない。
【００５７】
図３又は図４及び図７を参照すると、第１コンタクト３は、リード端子３ｒを基端部に有している。又、第１コンタクト３は、二股に分岐した一対の分岐アーム３ａ・３ａを先端部側に有している。リード端子３ｒには、フレキシブルプリント基板（以下、ＦＰＣという）３１ｐを接続できる。ＦＰＣ３１ｐは、図示しないウェアラブルデバイスと電気的に接続している。なお、図３又は図７及び図８では、ＦＰＣ３１ｐの図示を省略している。
【００５８】
図３又は図４及び図７を参照すると、一対の分岐アーム３ａ・３ａは、リード端子３ｒに向かって反転した一対の反転アーム３ｂ・３ｂを有している。一対の反転アーム３ｂ・３ｂの先端部同士は、互いに結合している。又、反転アーム３ｂの内壁には、半球状の接点３ｓを突出している（図７参照）。
【００５９】
図７に示した状態から、第２コンタクト４の接触片４１を一対の反転アーム３ｂ・３ｂの間に進入すると（図３又は図８参照）、一対の接点３ｓ・３ｓが接触片４１を挟持できる。そして、第１コンタクト３と第２コンタクト４を電気的に接続できる。
【００６０】
図４を参照すると、リセプタクル１０は、帯板状の絶縁ピース３１を更に備えている。絶縁ピース３１は、第１コンタクト３の基端部側を一体成形している。複数の第１コンタクト３が整列された状態で、絶縁ピース３１に固定されている。そして、絶縁ピース３１を第１ハウジング１の背面側から組み込むことで、複数の第１コンタクト３を整列した状態で配置できる。
【００６１】
（防水リングの構成）
次に、実施形態による防水リング５の構成を説明する。図３又は図４及び図７を参照して、防水リング５は、天然ゴム又は合成ゴムからなることが好ましく、弾性を有している。天然ゴム又は合成ゴムを成形して、所望の形状の防水リング５を得ることができる。
【００６２】
図３又は図５及び図７を参照すると、防水リング５は、第１襞５１と第２襞５２の間に、段差５３を有している。図３又は図８を参照して、第１襞５１がシェル６の内壁に密着した状態では、段差５３は、第１襞５１のつぶし代を収容できる。
【００６３】
（第２ハウジングの構成）
次に、実施形態による第２ハウジング２の構成を説明する。図１から図４及び図６を参照すると、第２ハウジング２は、絶縁性を有している。非導電性の材料からなる合成樹脂を成形して、所望の形状の絶縁性の第２ハウジング２を得ることができる。
【００６４】
図３又は図７を参照すると、第２ハウジング２は、シェル６の他方の開口を封鎖するように、シェル６の基端部側をモールド成形している。又、第２ハウジング２は、複数の圧入穴２１ｈを開口している（図４参照）。圧入穴２１ｈには、第２コンタクト４を圧入できる。
【００６５】
（第２コンタクトの構成）
次に、実施形態による第２コンタクト４の構成を説明する。図３又は図６及び図７を参照して、第２コンタクト４は、導電性を有している。導電性の金属板を打ち抜き加工して、所望の形状の導電性の第２コンタクト４を得ることができる。第２コンタクト４は、加工の容易性や、ばね特性、導電性などを考慮すれば、例えば、銅合金が好ましく用いられるが、銅合金に限定されない。
【００６６】
図３又は図４及び図７を参照すると、第２コンタクト４は、接触片４１を一端部側に有している。又、第２コンタクト４は、圧入片４２を一端部側に有している。接触片４１は、一対の分岐アーム３ａ・３ａの間に進入自在な刃状のブレードコンタクトからなることが好ましい。圧入片４２は、第２ハウジング２に開口した圧入穴２１ｈに圧入することで、第２ハウジング２に固定できる。
【００６７】
図４を参照すると、圧入片４２の底面には、ＦＰＣ４１ｐをハンダ接合できる。ＦＰＣ４１ｐは、図示しないリストバンドに設けた周辺デバイスと電気的に接続できる。なお、図３又は図７及び図８では、ＦＰＣ４１ｐの図示を省略している。
【００６８】
［防水コネクタの作用］
次に、実施形態による防水コネクタ１００の動作を説明しながら、防水コネクタ１００の作用及び効果を説明する。
【００６９】
図７に示した状態から、第１ハウジング１のヘッダー１ｈをプラグ２０の第２コンタクト収容室６１に挿入することで、第１コンタクト３と第２コンタクト４を電気的に接続できる（図８参照）。図８に示した状態では、第１フレーム１Ｆに設けたウェアラブルデバイス（図示せず）と第２フレーム２Ｆに設けた図示しない周辺デバイスを電気的に接続できる。
【００７０】
図３又は図８を参照すると、実施形態による防水コネクタ１００は、リセプタクル１０の外周に密着した防水リング５の第１襞５１がシェル６の内壁に密着しているので、第１フレーム１Ｆと第２フレーム２Ｆの隙間Ｇから進入した水がシェル６の内部に進入することを防止できる。
【００７１】
又、図３又は図８を参照すると、実施形態による防水コネクタ１００は、防水リング５の第２襞５２が第１フレーム１Ｆの内壁に密着しているので、第１フレーム１Ｆと第２フレーム２Ｆの隙間Ｇから進入した水が第１フレーム１Ｆの内部に進入することを防止できる。
【００７２】
図１から図８を参照すると、実施形態による防水コネクタ１００は、防水リング５を一つ用いているだけであり、従来の防水コネクタと比べて構成が簡易である。これにより、実施形態による防水コネクタ１００は、製造原価の低減に貢献できる。
【００７３】
又、図１から図８を参照すると、実施形態による防水コネクタ１００は、第１コンタクト３が二股に分岐した一対の分岐アーム３ａ・３ａを先端部側に有し、第２コンタクト４が一対の分岐アーム３ａ・３ａの間に進入自在な刃状のブレードコンタクトからなっているので、第１フレーム１Ｆに対して第２フレーム２Ｆが回動しても、第１コンタクト３と第２コンタクト４の接触状態を確実に維持できる。
【００７４】
本発明による防水コネクタは、腕時計型のウェアラブルデバイスに好適な電気コネクタを開示したが、本発明による防水コネクタは、メガネのように顔に装着することで拡張現実（ＡＲ）体験を実現するＡＲメガネに応用することが期待される。
【符号の説明】
【００７５】
１  第１ハウジング
１Ｆ  第１フレーム
１ｈ  ヘッダー
２  第２ハウジング
２Ｆ  第２フレーム
３  第１コンタクト
４  第２コンタクト
５  防水リング
６  シェル
１０  リセプタクル（第１コネクタ）
１１  第１コンタクト収容室
２０  プラグ（第２コネクタ）
５１  第１襞
５２  第２襞
６１  第２コンタクト収容室
１００  防水コネクタ
【図１】
2017208193.tif 000003
【図２】
2017208193.tif 000004
【図３】
2017208193.tif 000005
【図４】
2017208193.tif 000006
【図５】
2017208193.tif 000007
【図６】
2017208193.tif 000008
【図７】
2017208193.tif 000009
【図８】
2017208193.tif 000010
【図９】
2017208193.tif 000011
【図１０】
2017208193.tif 000012
【図１１】
2017208193.tif 000013
【図１２】
2017208193.tif 000014
【図１３】
2017208193.tif 000015
【図１４】
2017208193.tif 000016